(57)【要約】【課題】構造が複雑でなく、安価に製造でき、保持作業も差し込むだけの簡単な操作でよく、幅広で重量のあるシート体を確実に保持する。【解決手段】シート体３の端縁の差込部２２とこの差込部２２に連続する壁面を保持部２３としてその対向壁面２４が差込部２２へと間隔が狭くなる斜面に形成されたシート体３の端縁を挿入するための挿入空間２１とを有する保持具本体２と、保持具本体２の挿入空間２１に嵌挿、配置されて差込部２２から挿入されたシート体３の端縁を保持部２３との間で挟持する可動体５とからなり、保持具本体２は差込部２２とこれに連続する挿入空間２１とが長手方向にわたって形成された適宜長さの長尺材により形成されているとともに可動体５は複数の回転体５１が所定の間隔で連結された回転体チェーンにより形成されている。【選択図】図１
2008121337.tif 000002
【特許請求の範囲】
【請求項１】
シート体の端縁を保持するシート体の保持具であって、前記シート体の端縁の差込部とこの差込部に連続する壁面を保持部としてその対向壁面が前記差込部へと間隔が狭くなる斜面に形成された前記シート体の端縁を挿入するための挿入空間とを有する保持具本体と、前記保持具本体の挿入空間に嵌挿、配置されて差込部から挿入されたシート体の端縁を前記保持部との間で保持する可動体とからなり、前記保持具本体は前記差込部とこれに連続する挿入空間とが長手方向にわたって形成された適宜長さの長尺材により形成されているとともに前記可動体は複数の回転体が所定の間隔で連結された回転体チェーンにより形成されていることを特徴とするシート体の保持具。
【請求項２】
前記回転体チェーンがボールチェーンである請求項１に記載のシート体の保持具。
【請求項３】
前記ボールチェーンを形成するボール径が少なくとも前記挿入空間の差込部側の端部における前記保持部と対向壁面との幅よりも僅かに小さく且つ前記保持部と対向壁面との幅から使用するシート体の厚さを除いた長さよりも大きい径を有する請求項２に記載のシート体の保持具。
【請求項４】
前記回転体チェーンがローラを長手方向に連結したローラーチェーンである請求項１に記載のシート体の保持具。
【請求項５】
前記挿入空間よりも長尺で基端に所定の弾性を有する弾圧片を突設し、前記挿入空間の前記差込部の対向壁面に長手方向に沿って形成した溝に嵌装状態で挿通可能な装着部材を備えた請求項１，２，３または４に記載のシート体の保持具。
【請求項６】
前記挿入空間よりも長尺で先端に傾斜面を形成するとともに所定の高さを有し、前記挿入空間に前記傾斜面を前記挿入空間の差込部画の壁面に向けて挿通可能な離脱部材を備えた請求項１，２，３または４に記載のシート体の保持具。
【発明の詳細な説明】
【技術分野】
【０００１】
本発明はシート体を吊り下げたり、張設したりする際にシート体の端縁を保持するために用いられるシート体の保持具に関するものである。
【背景技術】
【０００２】
従来、例えば工場や倉庫、配送センターや冷蔵室、更にはクリーンルームなどには中扉として或いは防煙シート等として各種のビニルカーテンなどのシート体が用いられている。また、近頃ではホテルや百貨点、駅構内など多数の人が集まる箇所にも例えばガラスなどを利用した防煙の設置が義務づけられるなど各所においてシート体の設置が行われている。
【０００３】
ところで、一般にシート体は薄くて比較的柔軟な素材により形成されていることからそのまま天井などに付設することは困難であり、例えば長尺の保持具によりシート体の端縁を挟持させて、これを天井や鴨居などに取り付けるものが一般的である。
【０００４】
図９は従来の保持具１を示すものであり、前後方向に分割した一対の保持具本体２ａ，２ｂの間にシート体３の端縁３１を重ねて止めねじ４で両保持具本体２ａ，２ｂを固着するものである。
【０００５】
ところが、この従来の保持具１は、止めねじ４を保持具本体２ａに形成したねじ挿通孔４１、シート体３に形成したねじ挿通孔４２を通して保持具本体２ｂに形成したねじ穴４３に締着させる必要があり、きわめて作業が面倒である。特に、シート体３の端縁３１に皺を寄せることなく両保持具本体２ａ，２ｂを閉じるには各止めねじ４を均等に締め付けることが要求されることから、各止めねじ４の締め付け度のバランスを取りながら同程度ずつ締め付けていくことになりきわめて作業性が劣るとともに熟練を要する。
【０００６】
特に、シート体３を弛させることなく保持させるにはできるだけ止めねじ４の間隔を短くする必要があり、更に作業が繁雑になる。
加えて、ビニール材等により形成されるシート体３は可撓性を有することから確実に保持させるには、図１０に示すように、両保持具本体２ａ，２ｂの接合面に互いに噛み合う鋭利な凹凸条４４，４５を形成する必要があり、生産性及び作業性の点で不利である。
【０００７】
一方、シート体を簡単な操作で保持させることが可能なシート体ホルダーが特開２００２−２１６３号公報に提示されている。
【０００８】
このシート体ホルダーは、シート体の端縁を差し込む差込部とこの差込部に連続する壁面を保持部としてその対向壁面が前記差込部へと間隔が狭くなるように形成された前記シート体の端縁を挿入するための挿入空間とを有する保持具本体と、前記保持具本体の挿入空間に嵌挿、配置されて差込部から挿入されたシート体の端縁を前記保持部との間で挟持するボールからなる可動体とから構成され、シート体の端縁を差込部から挿入空間へと挿入するだけで可動体と保持部によりシート体の端縁が挟持されるので、特に工具を必要とせず、簡単に保持させることが可能である。
【０００９】
しかしながら、前記公報に提示されているシート体の保持具は、角形の保持具本体に穴部を形成して所定の傾斜を有する挿入空間を形成するとともにその挿入空間内にコイルばねと可動体であるボールを投入して蓋をするなど、構造がきわめて複雑で、また、コイルばねを付勢させた状態で収容するなど組立も容易でなく、コイルばねの劣化なども考えられる。
【００１０】
特に、シート体を一箇所で保持する構成であり、メモ用紙や印刷用紙、名刺、パンフレット、カード、切符などの小型で極軽量のシート体を保持することができるだけであり、例えば防煙シートのような長尺、幅広で比較的重量のあるシート体を保持することはできない。
【特許文献１】特開２００２−２１６３号公報
【発明の開示】
【発明が解決しようとする課題】
【００１１】
本発明は、上記のような問題点を解決するためになされたものであり、構造が複雑でなく、安価に製造でき、保持作業も差し込むだけの簡単な操作でよく、幅広で重量のあるシート体を確実に保持することができるシート体の保持具を提供するものである。
【課題を解決するための手段】
【００１２】
前記課題を解決するためになされた本発明は、シート体の端縁を保持するシート体の保持具であって、前記シート体の端縁の差込部とこの差込部に連続する壁面を保持部としてその対向壁面が前記差込部へと間隔が狭くなる斜面に形成された前記シート体の端縁を挿入するための挿入空間とを有する保持具本体と、前記保持具本体の挿入空間に嵌挿、配置されて差込部から挿入されたシート体の端縁を前記保持部との間で挟持する可動体とからなり、前記保持具本体は前記差込部とこれに連続する挿入空間とが長手方向にわたって形成された適宜長さの長尺材により形成されているとともに前記可動体は複数の回転体が所定の間隔で連結された回転体チェーンにより形成されていることを特徴とする。
【００１３】
本発明は、保持具本体に沿って形成した挿入空間に回転体チェーンからなる可動体を長手方向に挿入、配置し、差込孔から差し込んだシート体の端縁を保持部に沿って前記挿入空間に差し込むと、挿入空間に配置される回転体チェーンの各回転体と保持部との間にシート体の端縁が挟まれ、次いで、差し込んだシート体を差込孔の差込口端方向へ引くと各回転体が差込孔へ移動して楔効果によりシート体の端縁を押圧保持する。
【００１４】
このように本発明は、シート体の端縁を差込孔から挿入空間へと差し込み、次いで少し抜き方向へ戻すというきわめて簡単な作業でシート体の端縁を保持することが可能である。
【００１５】
特に、本発明は、シート体を保持する可動が複数の回転体を所定の間隔で連結した回転体チェーンにより形成されるので、シート体における端縁を所定間隔で多数箇所で保持することにより保持力が集中せずに、端縁の全長にわたって均一に作用するので保持力が強固であるばかりか、皺が寄る心配もない。
【００１６】
また、前記回転体チェーンがボールチェーンである場合には、シート体の差し込み時に、シート体の動きに合わせて確実に動くとともに固定時にシート体に確実に食い込ませることができる。
【００１７】
特に、前記ボールチェーンを形成するボール径が少なくとも前記挿入空間の差込部側の端部における前記保持部と対向壁面との幅よりも僅かに小さく且つ前記保持部と対向壁面との幅から使用するシート体の厚さを除いた長さよりも大きい径を有するものとすることにより、シート体に対して有効に楔作用を与えて保持させることができる。
【００１８】
更に、前記回転体チェーンがローラを長手方向に連結したローラーチェーンである場合にも本発明は有効に実施することができ。特に使用するシート体が薄い場合や脆弱な材質の場合などに適している。
【００１９】
加えて、本発明は、前記挿入空間よりも長尺で基端に所定の弾性を有する弾圧片を突設し、前記挿入空間の前記差込部の対向壁面に長手方向に沿って形成した溝に嵌装状態で挿通可能な装着部材などの専用の装着部材を用いると簡単に且つ均一にシート体を保持させることが可能であり、更に、前記挿入空間よりも長尺で先端に傾斜面を形成するとともに所定の高さを有し、前記挿入空間に前記傾斜面を前記挿入空間の差込部画の壁面に向けて挿通可能な離脱部材を用いることにより、簡単にシート体を取り外すことができ、また、取り外したシート体はそのまま再使用が可能である。
【発明の効果】
【００２０】
本発明は、構造が複雑でなく、安価で美観的にも優れているばかりか、確実にシート体を保持することができ、また、操作もきわめて簡単である。
【発明を実施するための最良の形態】
【００２１】
次に、図面を参照して本発明を実施するための最良の形態を説明する。
【００２２】
図１乃至図３は本発明を例えば耐熱ガラスクロスを利用した防煙シートについて実施した場合における最良の実施の形態の一例を示すものであり、保持具１は、主として長尺の保持具本体２と保持具本体２に形成した挿入空間２１に嵌挿する可動体５とから構成される。
【００２３】
更に詳しく説明すると、前記保持具本体２は、例えばアルミニウムや硬質の合成樹脂材により例えば押出成形により形成され、全体が例えば１５×１０ｍｍ2程度の端面を有する長尺の角型材状を呈し、左右の両端面にわたって使用するシート体３の端縁３１を差し込むためのスリット状の差込部２２とこの差込部２２に連続する壁面を保持部２３としてその対向壁面２４が差込部２２へと間隔が狭くなる例えば５度程度の角度を有する斜面に形成された前記シート体３の端縁３１を挿入するための挿入空間２１とを形成している。
【００２４】
また、前記可動体５は、複数の球体５１とこれらの球体５１を自在に連結した連結部材５２とが順次連結した所謂ボールチェーンからなり、球体５１の球径が少なくとも前記挿入空間２１の差込部２２側の端部における前記保持部２３と対向壁面２４との幅よりも僅かに小さく且つ前記保持部２３と対向壁面２４との幅から使用するシート体３の厚さを除いた長さよりも大きい径を有するものとすることにより、シート体に対して有効に楔作用を与えて保持させることができる。特に、前記挿入空間２１の差込部２２側の端部における前記保持部２３と対向壁面２４との間に位置したときに保持させるシート体３の厚さの１／２程度の隙間が生じる場合が好ましい。
【００２５】
次に、本実施の形態である保持具１の使用方法について説明する。
【００２６】
本実施の形態である保持具１を用いて  シート体３を保持するには、先ず図２（ａ）に示すように、保持具本体２１の挿入空間２１に可動体５を挿入空間２１のほぼ全長にわたって挿入、配置させる。このとき、例えば保持具本体２１を少し傾けて挿入空間２１の壁面に沿って長尺の可動体５を自重で差し込むようにして挿入すると作業が容易である。
【００２７】
そして、保持具本体２１の挿入空間２１に可動体５を挿入、配置した後、図２（ａ）に示すように、保持具本体２１を差込部２２側が下方側に位置するように位置させて、シート体３の保持させる端縁３１部分を差込部２２から挿入空間２１に差し込む。
【００２８】
このとき、本実施の形態では、可動体５を形成する各球体５１は、その球径が少なくとも前記挿入空間２１の差込部２２側の端部における前記保持部２３と対向壁面２４との幅よりも僅かに小さく且つ前記保持部２３と対向壁面２４との幅から使用するシート体３の厚さを除いた長さよりも大きい径を有することから、各球体５１が挿入空間２１の差込部２２側の端部における前記保持部２３と対向壁面２４との間に位置させたときに保持部２３または対向壁面２４との間に隙間が生じる。そのため、差込部２２に差し込まれたシート体３の端縁３１は差込部２２に連続して形成された保持部２３に沿って挿入空間２１内に入り、所定位置に挿入配置された可動体５との間に介挿される、（図２（ｂ）参照）。
【００２９】
次に、シート体３を図示する下方へと引くと図２（ｃ）に示すように、可動体５が差込部２２方向へと引かれて各回転体５１が楔効果によりシート体３の端縁３１を保持部２３との間で押圧保持するので、それ以上引いてもシート体３の端縁３１は移動せず、強固に保持される。従って、従来と同様に、保持具本体２１をクランプなどの掴具を用いて、或いは予め保持具本体２１に備えた吊着具（図示せず）を用いて天井や鴨居などの装着箇所に吊設すればよい。
【００３０】
特に、本実施の形態では、各回転体５１の球径が少なくとも前記挿入空間２２の差込部２１側の端部における前記保持部２３と対向壁面２４との幅よりも大きく且つ挿入空間２１をシート体３の端部３１の挿入方向に可動可能な大きさであることから、充分な楔効果を発揮させることができる。
【００３１】
また、本実施の形態は従来のこの種の保持具と異なり、可動体５が互いに隣接する複数の回転体５１により形成されるので、シート体３の端縁３１を全域にわたって均一な力で保持するのできわめて大きな保持力を発揮させることができる。
【００３２】
加えて、可動体５はボールチェーンにより形成されるばかりかコイルばねのような複雑な部品もなく挿入空間２２に配置する場合も開口端縁から差し込むだけの簡単な作業で済む。また、保持状態を解除する場合も開口端縁に露出しているボールチェーンである可動体５保持具本体から抜き取りことができ、シート体３の保持を解除できるので差込部２２から抜き取ればよく、抜き取ったシート体３は取付孔なども形成されておらず皺もよっていないので、そのまま再利用が可能である。
【００３３】
図４及び図５は本実施の形態に使用する専用の装着部材８を示すものであり、前述の如く、本実施の形態ではシート体３を引くだけの簡単な操作でシート体３を保持させることができるが、本装着部材８を用いると更に容易にシート体３の装着することができるばかりかシート体３を引くことなしに可動体５を移動させるのでシート体３がずれる心配がなく、きわめて美麗に取り付けることもできる。
【００３４】
特に、本実施の形態では、保持具本体２の挿入空間２１よりも長尺の板状であり、適宜の塑性と弾性を有する金属材や硬質の合成樹脂材により全体が板材状に形成され。基端に所定の弾性を有する弾圧片８１を突設している。
【００３５】
また、本実施の形態では、長さ方向に沿って片側にガイド片８２が屈曲形成されており、使用に際しては前記保持具本体２の挿入空間２１における挿入部２２に対向する壁面２５に沿って形成された断面がＬ型の溝条２７に嵌め込み挿入空間２１に長さ方向にわたって差し込む。
【００３６】
そして、差し込まれた装着部材８が基端に突出された弾圧片８１によって可動体５を形成する各球体５１を自由状態にある高さ位置Ｈ１から保持状態にある高さ位置Ｈ２へと順次、回転移動させるものである。
【００３７】
尚、本実施の形態では、長さ方向に沿って片側にガイド片８２が屈曲形成されており、使用に際しては前記保持具本体２の挿入空間２１における差込部２２に対向する壁面２５に沿って形成された断面がＬ型の溝条２７に嵌め込み挿入空間２１に長さ方向にわたって差し込む形式としたが、挿入空間２１の壁面２５に沿って挿入可能なものであればよく、例えば、アリ溝構造（図示せず）等、他の趣致のガイド機構を使用することができる。
【００３８】
また、図６及び図７は本実施の形態に使用する専用の離脱部材７を示すものであり、本実施の形態である保持具１にシート体３を保持させた状態を簡単に解除させることができるものであり、シート体３を交換したり、保守や修理の際などに便利である。
【００３９】
離脱部材７は、全体が保持具本体２の挿入空間２１よりも長尺で先端に傾斜面７１を形成するとともに傾斜面７１の傾斜方向に所定の高さｈ１を有し、挿入空間２１の差込部に対向する壁面２５に沿って嵌挿可能な幅Ｌ１を有する四角柱を呈しており、図示の保持状態（高さ位置Ｈ２）にある可動体５の各球体５１と壁面２５との間に傾斜面７１から挿入空間２１に差し込むことにより、可動体５の各球体５１を順次、シート体３の端縁３１方向（図示上方）の予め設定した自由位置高さ位置Ｈ３へと移動させることにより可動体５と保持部２３との間に隙間が生じ、可動体５が自由となり、シート体３を引き抜けば簡単に離脱させることができる。
【００４０】
尚、本離脱部材７は可動体５を回転移動させて保持状態を解除するものであることから、シート体３には全く負担が掛かることがなく、そのまま再使用が可能である。
【００４１】
更に、図８は本発明の可動体５についての異なる実施の形態を示すものであり、ローラチェーンにより形成される点が異なる。本実施の形態では前記ボールチェーンの場合と異なり、球体５１部分が円筒形であることから、シート体との接触面積が増加している。
【００４２】
そのため、シート体が薄かったり、比較的脆弱な素材により形成されている場合に適している。
【００４３】
尚、本実施の形態はシート体３として防煙シートの場合について示したが、カーテンや紙各種の板材など他のシート体についても同様に実施することが可能であることは言うまでもなくも、使用目的に応じて保持具本体２や可動体５の大きさ、形状、材質などを適宜選択して使用する。
【図面の簡単な説明】
【００４４】
【図１】本発明における最適な実施形態の一例を示す斜視図。
【図２】図１に示した実施の形態における使用状態を示す説明図。
【図３】図１に示した実施の形態における使用状態を示す縦断面図。
【図４】本発明に使用される装着部材の一例を支持部本体とともに示す斜視図。
【図５】図４に示した装着部材の使用状態を示す拡大縦断面図。
【図６】本発明に使用される離脱部材の一例を支持部本体とともに示す斜視図。
【図７】本発明に使用される離脱部材の一例についての使用状態を示すものであり、（ａ）は拡大縦断面図、（ｂ）は図６（ａ）のＹ２−Ｙ２線に沿う断面図。
【図８】可動体についての異なる実施の形態を示す斜視図。
【図９】従来例を示す分解斜視図。
【図１０】図９に示す従来例の使用状態における端面拡大図。
【符号の説明】
【００４５】
１  保持具、２  保持具本体、３  シート体、５  可動体、７  離脱部材、８  装着部材、２１挿入空間、２２  差込部、２３  保持部、２４  対向壁面、３１  端縁、６１  傾斜面、８１  弾圧片
【図１】
2008121337.tif 000003
【図２】
2008121337.tif 000004
【図３】
2008121337.tif 000005
【図４】
2008121337.tif 000006
【図５】
2008121337.tif 000007
【図６】
2008121337.tif 000008
【図７】
2008121337.tif 000009
【図８】
2008121337.tif 000010
【図９】
2008121337.tif 000011
【図１０】
2008121337.tif 000012